(57)【特許請求の範囲】
【請求項１】
本体を含み、前記本体の中には前方に開口した作動空間が設けられ、前記作動空間の下壁には設備が固定され、前記作動空間の前後壁には二重保護を行える閉鎖機構が設けられ、前記本体の前端には前記作動空間と外部を連通した隔て空間が設けられ、前記隔て空間の右壁にはドア板がヒンジで連結され、前記隔て空間の上下壁にはいずれも前記隔て空間と連通したロック溝が形成され、前記ドア板の中にはロック空間が設けられ、前記ロック空間の後端壁にはロック軸が回転できるように連結され、前記ロック軸の前端が外部に位置し、前記ロック軸の中には前方に開口したロック解除空間が設けられ、前記ロック解除空間の中には移動板と復帰ばねがスライドできるように連結され、前記復帰ばねによって前記移動板と前記ロック解除空間の後壁が連結され、前記移動板の中には前記ロック解除空間と連通した二つの押出空間が設けられ、前記押出空間の中には昇降可能な台形ブロックと押出ばねとがスライドできるように連結され、前記押出ばねによって前記台形ブロックと前記押出空間の端壁が連結され、前記ロック解除空間の上下壁にはいずれも前記ロック空間と連通した貫通穴が設けられ、前記ロック空間の前壁には環状空間が設けられ、前記環状空間の後壁が前記ロック空間と連通しており、前記環状空間の中には環状ブロックがスライドできるように連結され、前記環状ブロックの後端には円筒が固定され、前記円筒の後端が前記ロック空間の中に位置し、前記ロック軸の後端には二つの移動警報器が固定され、二つの前記移動警報器の一端が前記円筒の内壁と接触しており、前記円筒の内壁には従動ブロックが固定され、前記ロック軸の後端には楕円輪が固定され、前記ロック空間の中には前記楕円輪の一端と接触した昇降板と圧縮ばねとがスライドできるように連結され、前記圧縮ばねによって前記昇降板と前記ロック空間の端壁が連結され、前記昇降板において前記ロック軸から離れた端面にはロックロッドが固定され、前記ロックロッドの一端が前記ロック空間の端壁を貫通し且つ前記ロック溝の中に位置し、前記作動空間の後壁と前記作動空間の左右壁と前記ドア板の中とにはいずれも早期警戒機構が設けられ、前記早期警戒機構はドア破りに対して早期警戒機能を果たせることを特徴とする自動防護機能を備える屋外用開閉装置。
【請求項２】
前記閉鎖機構は、前記作動空間の前後壁に位置する収納空間を含み、前記作動空間の前後壁にはいずれも二つの前記収納空間が設けられ、前記収納空間の上壁には平行移動空間が設けられ、前記平行移動空間の下壁が前記収納空間と連通しており、前記平行移動空間において前記作動空間に近接する端壁が前記作動空間と連通しており、前記平行移動空間の中には二つのスライドブロックがスライドできるように連結され、二つの前記スライドブロックにおいて対向となった端面には二枚の連結板が固定され、二枚の前記連結板には回転軸が固定的に連結され、前後二本の前記回転軸の間には回転棒が設置され、前記回転棒が前記回転軸と回転できるように連結され、前記収納空間の中には閉鎖板が設けられ、前記閉鎖板の上端には連結棒が回転できるように連結され、前記連結棒の上端が前記収納空間の上壁と前記平行移動空間の下壁を貫通し且つそれぞれ二つの前記スライドブロックの下端と回転できるように連結され、前記作動空間の上壁には四つのスライド溝が形成され、前記スライド溝の下壁がいずれも前記収納空間と前記作動空間と連通しており、前記スライド溝において前記作動空間の中心に近接する端壁が前記作動空間と前記平行移動空間と連通しており、前記スライド溝において前記作動空間から離れた端壁には電動ガイドレールが固定され、前記作動空間から離れた前記スライドブロックは前記電動ガイドレールによって移動でき、前記スライド溝において前記設備から離れた端壁には第一接触警報器が固定され、警報を鳴らせる前記第一接触警報器が前記スライドブロックと接触していることを特徴とする請求項１に記載の自動防護機能を備える屋外用開閉装置。
【請求項３】
前記早期警戒機構は、ばね空間を含み、前記ばね空間の中にはスライド可能なばね板と二本の伸縮ばねとが設けられ、二本の前記伸縮ばねによって前記ばね板と前記ばね空間の端壁が連結され、前記ばね空間において前記作動空間に近接する端壁には第二接触警報器が固定され、前記ばねが接触した後に前記第二接触警報器は前記電動ガイドレールを移動させることと警報を鳴らすことができることを特徴とする請求項２に記載の自動防護機能を備える屋外用開閉装置。
【請求項４】
前記復帰ばねの弾力は前記押出ばねの弾力より大きいことを特徴とする請求項１に記載の自動防護機能を備える屋外用開閉装置。
【発明の詳細な説明】
【技術分野】
【０００１】
本願発明は配電分野を取り上げて、具体的には自動防護機能を備える屋外用開閉装置である。
【背景技術】
【０００２】
電力回路または電力を用いる機器の動作において、その電路を開閉、つまりオンとオフする機器を開閉器という。この開閉器の役割を高電圧向けにさらに拡大したものが、一般的に開閉装置と呼ばれている。具体的には、遮断器や断路器、設置装置などを金属製の箱の内部に集約し、長期間安全に使用できるよう絶縁性能を持たせたものを指す。
屋外用の開閉装置は屋外に設置されるため、盗難防止の自己保護機能は非常に重要である。既存の屋外の開閉装置のほとんどは開閉装置をロックするだけで、他の防盗設備が少なく、盗難発生後、適時に警報を鳴らすことができないため、大きな損害をもたらす可能性がある。
【先行技術文献】
【特許文献】
【０００３】
【特許文献１】中国特許出願公開第１０９００４５３９号明細書
【発明の概要】
【発明が解決しようとする課題】
【０００４】
技術問題：防盗効果のいい自動防護機能を備える屋外用開閉装置を提供する。
【課題を解決するための手段】
【０００５】
上記の課題を解決するため、本願発明は以下の技術プランを採用する：本願発明である自動防護機能を備える屋外用開閉装置は、本体を含み、前記本体の中には前方に開口した作動空間が設けられ、前記作動空間の下壁には設備が固定され、前記作動空間の前後壁には二重保護を行える閉鎖機構が設けられ、前記本体の前端には前記作動空間と外部を連通した隔て空間が設けられ、前記隔て空間の右壁にはドア板がヒンジで連結され、前記隔て空間の上下壁にはいずれも前記隔て空間と連通したロック溝が形成され、前記ドア板の中にはロック空間が設けられ、前記ロック空間の後端壁にはロック軸が回転できるように連結され、前記ロック軸の前端が外部に位置し、前記ロック軸の中には前方に開口したロック解除空間が設けられ、前記ロック解除空間の中には移動板と復帰ばねがスライドできるように連結され、前記復帰ばねによって前記移動板と前記ロック解除空間の後壁が連結され、前記移動板の中には前記ロック解除空間と連通した二つの押出空間が設けられ、前記押出空間の中には昇降可能な台形ブロックと押出ばねとがスライドできるように連結され、前記押出ばねによって前記台形ブロックと前記押出空間の端壁が連結され、前記ロック解除空間の上下壁にはいずれも前記ロック空間と連通した貫通穴が設けられ、前記ロック空間の前壁には環状空間が設けられ、前記環状空間の後壁が前記ロック空間と連通しており、前記環状空間の中には環状ブロックがスライドできるように連結され、前記環状ブロックの後端には円筒が固定され、前記円筒の後端が前記ロック空間の中に位置し、前記ロック軸の後端には二つの移動警報器が固定され、二つの前記移動警報器の一端が前記円筒の内壁と接触しており、前記円筒の内壁には従動ブロックが固定され、前記ロック軸の後端には楕円輪が固定され、前記ロック空間の中には前記楕円輪の一端と接触した昇降板と圧縮ばねとがスライドできるように連結され、前記圧縮ばねによって前記昇降板と前記ロック空間の端壁が連結され、前記昇降板において前記ロック軸から離れた端面にはロックロッドが固定され、前記ロックロッドの一端が前記ロック空間の端壁を貫通し且つ前記ロック溝の中に位置し、前記作動空間の後壁と前記作動空間の左右壁と前記ドア板の中とにはいずれも早期警戒機構が設けられ、前記早期警戒機構はドア破りに対して早期警戒機能を果たせる。
【０００６】
更の技術プラン、前記閉鎖機構は、前記作動空間の前後壁に位置する収納空間を含み、前記作動空間の前後壁にはいずれも二つの前記収納空間が設けられ、前記収納空間の上壁には平行移動空間が設けられ、前記平行移動空間の下壁が前記収納空間と連通しており、前記平行移動空間において前記作動空間に近接する端壁が前記作動空間と連通しており、前記平行移動空間の中には二つのスライドブロックがスライドできるように連結され、二つの前記スライドブロックにおいて対向となった端面には二枚の連結板が固定され、二枚の前記連結板には回転軸が固定的に連結され、前後二本の前記回転軸の間には回転棒が設置され、前記回転棒が前記回転軸と回転できるように連結され、前記収納空間の中には閉鎖板が設けられ、前記閉鎖板の上端には連結棒が回転できるように連結され、前記連結棒の上端が前記収納空間の上壁と前記平行移動空間の下壁を貫通し且つそれぞれ二つの前記スライドブロックの下端と回転できるように連結され、前記作動空間の上壁には四つのスライド溝が形成され、前記スライド溝の下壁がいずれも前記収納空間と前記作動空間と連通しており、前記スライド溝において前記作動空間の中心に近接する端壁が前記作動空間と前記平行移動空間と連通しており、前記スライド溝において前記作動空間から離れた端壁には電動ガイドレールが固定され、前記作動空間から離れた前記スライドブロックは前記電動ガイドレールによって移動でき、前記スライド溝において前記設備から離れた端壁には第一接触警報器が固定され、警報を鳴らせる前記第一接触警報器が前記スライドブロックと接触している。
【０００７】
更の技術プラン、前記早期警戒機構は、ばね空間を含み、前記ばね空間の中にはスライド可能なばね板と二本の伸縮ばねとが設けられ、二本の前記伸縮ばねによって前記ばね板と前記ばね空間の端壁が連結され、前記ばね空間において前記作動空間に近接する端壁には第二接触警報器が固定され、前記ばねが接触した後に前記第二接触警報器は前記電動ガイドレールを移動させることと警報を鳴らすことができる。
【０００８】
更の技術プラン、前記復帰ばねの弾力は前記押出ばねの弾力より大きい。
【発明の効果】
【０００９】
本願発明は、構造と使用が簡単であり、不審者がドアを破るまたはこじ開けると、防盗板と警報器との協働によって、二重の盗難防止機能で抵抗と警報鳴りが同時に行われ、盗難防止性能が向上し、安全性が高い。
【図面の簡単な説明】
【００１０】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１１】
【図１】図１は本願発明の構成略図
【図２】図２は図１のＡ―Ａの拡大構成略図
【図３】図３は図２のＢの拡大構成略図
【図４】図４は図２のＣの拡大構成略図
【発明を実施するための形態】
【００１２】
図１〜４を参照し、本願発明である自動防護機能を備える屋外用開閉装置は、本体１０を含み、前記本体１０の中には前方に開口した作動空間１９が設けられ、前記作動空間１９の下壁には設備１８が固定され、前記作動空間１９の前後壁には二重保護を行える閉鎖機構４８が設けられ、前記本体１０の前端には前記作動空間１９と外部を連通した隔て空間５１が設けられ、前記隔て空間５１の右壁にはドア板３０がヒンジで連結され、前記隔て空間５１の上下壁にはいずれも前記隔て空間５１と連通したロック溝２９が形成され、前記ドア板３０の中にはロック空間３１が設けられ、前記ロック空間３１の後端壁にはロック軸３６が回転できるように連結され、前記ロック軸３６の前端が外部に位置し、前記ロック軸３６の中には前方に開口したロック解除空間４１が設けられ、前記ロック解除空間４１の中には移動板４２と復帰ばね３７がスライドできるように連結され、前記復帰ばね３７によって前記移動板４２と前記ロック解除空間４１の後壁が連結され、前記移動板４２の中には前記ロック解除空間４１と連通した二つの押出空間３９が設けられ、前記押出空間３９の中には昇降可能な台形ブロック３８と押出ばね４０とがスライドできるように連結され、前記押出ばね４０によって前記台形ブロック３８と前記押出空間３９の端壁が連結され、前記ロック解除空間４１の上下壁にはいずれも前記ロック空間３１と連通した貫通穴５２が設けられ、前記ロック空間３１の前壁には環状空間４４が設けられ、前記環状空間４４の後壁が前記ロック空間３１と連通しており、前記環状空間４４の中には環状ブロック４５がスライドできるように連結され、前記環状ブロック４５の後端には円筒４６が固定され、前記円筒４６の後端が前記ロック空間３１の中に位置し、前記ロック軸３６の後端には二つの移動警報器４３が固定され、二つの前記移動警報器４３の一端が前記円筒４６の内壁と接触しており、前記円筒４６の内壁には従動ブロック４７が固定され、前記ロック軸３６の後端には楕円輪３５が固定され、前記ロック空間３１の中には前記楕円輪３５の一端と接触した昇降板３４と圧縮ばね３３とがスライドできるように連結され、前記圧縮ばね３３によって前記昇降板３４と前記ロック空間３１の端壁が連結され、前記昇降板３４において前記ロック軸３６から離れた端面にはロックロッド３２が固定され、前記ロックロッド３２の一端が前記ロック空間３１の端壁を貫通し且つ前記ロック溝２９の中に位置し、前記作動空間１９の後壁と前記作動空間１９の左右壁と前記ドア板３０の中とにはいずれも早期警戒機構４９が設けられ、前記早期警戒機構４９はドア破りに対して早期警戒機能を果たせる。
【００１３】
有益に、前記閉鎖機構４８は、前記作動空間１９の前後壁に位置する収納空間１７を含み、前記作動空間１９の前後壁にはいずれも二つの前記収納空間１７が設けられ、前記収納空間１７の上壁には平行移動空間２８が設けられ、前記平行移動空間２８の下壁が前記収納空間１７と連通しており、前記平行移動空間２８において前記作動空間１９に近接する端壁が前記作動空間１９と連通しており、前記平行移動空間２８の中には二つのスライドブロック１１がスライドできるように連結され、二つの前記スライドブロック１１において対向となった端面には二枚の連結板２４が固定され、二枚の前記連結板２４には回転軸２６が固定的に連結され、前後二本の前記回転軸２６の間には回転棒２５が設置され、前記回転棒２５が前記回転軸２６と回転できるように連結され、前記収納空間１７の中には閉鎖板１６が設けられ、前記閉鎖板１６の上端には連結棒２７が回転できるように連結され、前記連結棒２７の上端が前記収納空間１７の上壁と前記平行移動空間２８の下壁を貫通し且つそれぞれ二つの前記スライドブロック１１の下端と回転できるように連結され、前記作動空間１９の上壁には四つのスライド溝１２が形成され、前記スライド溝１２の下壁がいずれも前記収納空間１７と前記作動空間１９と連通しており、前記スライド溝１２において前記作動空間１９の中心に近接する端壁が前記作動空間１９と前記平行移動空間２８と連通しており、前記スライド溝１２において前記作動空間１９から離れた端壁には電動ガイドレール１３が固定され、前記作動空間１９から離れた前記スライドブロック１１は前記電動ガイドレール１３によって移動でき、前記スライド溝１２において前記設備１８から離れた端壁には第一接触警報器１４が固定され、警報を鳴らせる前記第一接触警報器１４が前記スライドブロック１１と接触している。
【００１４】
有益に、前記早期警戒機構４９は、ばね空間２３を含み、前記ばね空間２３の中にはスライド可能なばね板２２と二本の伸縮ばね２１とが設けられ、二本の前記伸縮ばね２１によって前記ばね板２２と前記ばね空間２３の端壁が連結され、前記ばね空間２３において前記作動空間１９に近接する端壁には第二接触警報器２０が固定され、前記ばね２２が接触した後に前記第二接触警報器２０は前記電動ガイドレール１３を移動させることと警報を鳴らすことができる。
【００１５】
有益に、前記復帰ばね３７の弾力は前記押出ばね４０の弾力より大きい。
【００１６】
初期状態に、前記押出ばね４０と前記圧縮ばね３３が圧縮状態にある。
【００１７】
正しい鍵を完全にロック解除空間４１の中に入れた場合、移動板４２が駆動されて後方へ移動し復帰ばね３７を圧縮し、復帰ばね３７が完全に圧縮された後、押出空間３９が貫通穴５２と連通し、押出ばね４０が復帰し台形ブロック３８を押出空間３９から離れさせ、台形ブロック３８が貫通穴５２を貫通しロック空間３１の中に入って従動ブロック４７と接触した後に、鍵が回転しロック軸３６を回転させ、そして楕円輪３５と台形ブロック３８が連動し回転し、楕円輪３５の回転によって圧縮ばね３３が復帰し昇降板３４をロック軸３６に近付け、これでロックロッド３２においてロック溝２９の中に位置する一端がロック溝２９から離れ、ロックが解除され、台形ブロック３８の回転によって従動ブロック４７と円筒４６を回転させ、ロック軸３６の回転によって移動警報器４３が駆動されて回転し、移動警報器４３が円筒４６に対して移動せずに静止状態を保ち、移動警報器４３が起動されない。
間違った鍵でロック軸３６を回転させる場合、移動板４２が後方へ押圧されないため、台形ブロック３８が貫通穴５２を貫通しなく従動ブロック４７と接触しなく、ロック軸３６が回転する時に、移動警報器４３がロック軸３６の回転につれて回転するが、円筒４６が回転しないため、移動警報器４３と円筒４６の間に相対変位が生じ、このとき移動警報器４３が作動し前側の二つの電動ガイドレール１３を作動させる。
電動ガイドレール１３と接触しているスライドブロック１１が電動ガイドレール１３の移動によって作動空間１９の中心に向かって移動し、回転棒２５の伝動によってもう一個のスライドブロック１１が引き動かされて前方へ移動し、連結棒２７の伝動によってスライドブロック１１が移動時に閉鎖板１６を回転させながら移動させ、電動ガイドレール１３がスライドブロック１１まで移動して移動できなくなったとき、移動する二枚の閉鎖板１６が収納空間１７の中から離れて作動空間１９を二次閉鎖し、これで作動空間１９の中にある設備１８の安全が確保される。
不審者が本体１０の前後左右面を破るとき、ばね板２２が連動し作動空間１９に向かって移動し伸縮ばね２１を圧縮し、ばね板２２が第二接触警報器２０と接触するとき、破られているのが作動空間１９の後面あるいはドア板３０である場合、第二接触警報器２０が作動し警報を鳴らすと同時に電動ガイドレール１３を作動させ、閉鎖板１６が連動し収納空間１７から離れることで、二次防護が行われ、破られているのが作動空間１９の左右壁である場合、第二接触警報器２０が直接に警報を鳴らす。
【００１８】
以上に述べたのはただ本願発明の具体的な実施方式で、本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】      （修正有）【課題】自動防護機能を備える屋外用開閉装置を提供する。【解決手段】本体１０を含み、前記本体の中には前方に開口した作動空間１９が設けられ、前記作動空間の下壁には設備１８が固定され、前記作動空間の前後壁には二重保護を行える閉鎖機構４８が設けられ、前記本体の前端には前記作動空間と外部を連通した隔て空間が設けられ、前記隔て空間の右壁にはドア板がヒンジで連結され、前記隔て空間の上下壁にはいずれも前記隔て空間と連通したロック溝が形成され、前記ドア板の中にはロック空間が設けられ、前記ロック空間の後端壁にはロック軸が回転できるように連結され、前記ロック軸の前端が外部に位置する。【選択図】図１【図１】
0006810871.tif 000002
【図２】
0006810871.tif 000003
【図３】
0006810871.tif 000004
【図４】
0006810871.tif 000005